(57)【要約】【課題】内視鏡と光源装置の製造会社が相違する場合でも、光源装置から内視鏡の照明用ライトガイドに入射する照明光の光量を、観察状態等に応じて的確且つ適切に調整することができる内視鏡の光源接続アダプタを提供すること。【解決手段】ライトガイドコネクタ受け部３３が対光源装置係止部３１に対してコネクタ受け孔２３の軸線Ｘ方向にスライド自在に支持されると共に、ライトガイドコネクタ受け部３３を対光源装置係止部３１に対するスライド範囲の途中の所定の複数箇所において対光源装置係止部３１に対して固定及び固定解除することができるスライド固定機構３８〜４２が設けられている。【選択図】      図１
2006122064.tif 000002
【特許請求の範囲】
【請求項１】
光源装置のコネクタ受け孔部に対して係脱自在に係止される対光源装置係止部と、内視鏡の照明用ライトガイドの入射端コネクタが係脱自在に係止されるライトガイドコネクタ受け部とが設けられた内視鏡の光源接続アダプタにおいて、
上記ライトガイドコネクタ受け部が上記対光源装置係止部に対して上記コネクタ受け孔の軸線方向にスライド自在に支持されると共に、上記ライトガイドコネクタ受け部を上記対光源装置係止部に対するスライド範囲の途中の所定の複数箇所において上記対光源装置係止部に対して固定及び固定解除することができるスライド固定機構が設けられていることを特徴とする内視鏡の光源接続アダプタ。
【請求項２】
上記スライド固定機構が、上記ライトガイドコネクタ受け部と上記対光源装置係止部とのスライド面の上記対光源装置係止部側に形成された円周溝と、上記ライトガイドコネクタ受け部側に形成された、上記円周溝に対して係脱自在に配置された係合ピン、上記係合ピンを上記円周溝に係合する方向に付勢する付勢部材、及び上記付勢部材の付勢力に抗して上記係合ピンを上記円周溝と係合しない位置に退避させるための手動操作部材とを有している請求項１記載の内視鏡の光源接続アダプタ。
【発明の詳細な説明】
【技術分野】
【０００１】
この発明は、内視鏡用光源装置に対して製造会社が相違する内視鏡のライトガイドコネクタを接続する際等に用いられる内視鏡の光源接続アダプタに関する。
【背景技術】
【０００２】
内視鏡は一般に照明用の光源を内蔵しておらず、内視鏡に組み込まれている照明用ライトガイドの入射端コネクタ（以下、「ライトガイドコネクタ」という）を光源装置に接続して使用するようになっている。したがって、組み合わせて使用される内視鏡と光源装置とが同じ製造会社の製品であれば内視鏡のライトガイドコネクタを光源装置に問題なく接続することができる。
【０００３】
しかし、内視鏡のライトガイドコネクタと光源装置との接続部の構造はＪＩＳ等によって標準化されていないため、製造会社が相違する場合には、ライトガイドコネクタを光源装置に対して適正な状態に接続することができない場合が多い。
【０００４】
そこで、内視鏡と光源装置の製造会社が相違する場合には、光源装置側の取り付け口に合った形状のアダプタ筒を用いて、光源装置に取り付けたアダプタ筒に内視鏡のライトガイドコネクタを差し込むことにより、ライトガイドコネクタが光源装置に適正な状態に接続されるようにしている（例えば、特許文献１）。
【特許文献１】特開平４−２４０４３４
【発明の開示】
【発明が解決しようとする課題】
【０００５】
内視鏡観察が行われる際には、挿入部先端の照明窓と被写体との間の距離が変動するのに伴って被写体の明るさが変動するので、その変動量が大きい場合には、光源装置から内視鏡の照明用ライトガイドに入射する照明光量を調整することが良好な内視鏡観察像を得るために必要となる。
【０００６】
そこで一般に光源装置には、光源装置から内視鏡の照明用ライトガイドに入射する照明光の光量を内視鏡観察像の明るさに合わせて自動調整する調光機能が設けられているが、内視鏡と光源装置の製造会社が相違していて光源接続アダプタが用いられる場合にはそのような調光機能が適切に作動せず、照明窓と被写体との間の距離が大きく変動した時等に良好な内視鏡観察像が得られない場合がある。
【０００７】
そこで本発明は、内視鏡と光源装置の製造会社が相違する場合でも、光源装置から内視鏡の照明用ライトガイドに入射する照明光の光量を、観察状態等に応じて的確且つ適切に調整することができる内視鏡の光源接続アダプタを提供することを目的とする。
【課題を解決するための手段】
【０００８】
上記の目的を達成するため、本発明の内視鏡の光源接続アダプタは、光源装置のコネクタ受け孔部に対して係脱自在に係止される対光源装置係止部と、内視鏡の照明用ライトガイドの入射端コネクタが係脱自在に係止されるライトガイドコネクタ受け部とが設けられた内視鏡の光源接続アダプタにおいて、ライトガイドコネクタ受け部が対光源装置係止部に対してコネクタ受け孔の軸線方向にスライド自在に支持されると共に、ライトガイドコネクタ受け部を対光源装置係止部に対するスライド範囲の途中の所定の複数箇所において対光源装置係止部に対して固定及び固定解除することができるスライド固定機構が設けられているものである。
【０００９】
なお、スライド固定機構が、ライトガイドコネクタ受け部と対光源装置係止部とのスライド面の対光源装置係止部側に形成された円周溝と、ライトガイドコネクタ受け部側に形成された、円周溝に対して係脱自在に配置された係合ピン、係合ピンを円周溝に係合する方向に付勢する付勢部材、及び付勢部材の付勢力に抗して係合ピンを円周溝と係合しない位置に退避させるための手動操作部材とを有していてもよい。
【発明の効果】
【００１０】
本発明によれば、光源接続アダプタのライトガイドコネクタ受け部が対光源装置係止部に対してコネクタ受け孔の軸線方向にスライド自在に支持されて、ライトガイドコネクタ受け部を対光源装置係止部に対するスライド範囲の途中の所定の複数箇所において対光源装置係止部に対して固定及び固定解除することができるので、内視鏡と光源装置の製造会社が相違する場合でも、光源装置から内視鏡の照明用ライトガイドに入射する照明光の光量を、観察状態等に応じて的確且つ適切に調整することができる。
【発明を実施するための最良の形態】
【００１１】
光源装置のコネクタ受け孔部に対して係脱自在に係止される対光源装置係止部と、内視鏡の照明用ライトガイドの入射端コネクタが係脱自在に係止されるライトガイドコネクタ受け部とが設けられた内視鏡の光源接続アダプタにおいて、ライトガイドコネクタ受け部が対光源装置係止部に対してコネクタ受け孔の軸線方向にスライド自在に支持されると共に、ライトガイドコネクタ受け部を対光源装置係止部に対するスライド範囲の途中の所定の複数箇所において対光源装置係止部に対して固定及び固定解除することができるスライド固定機構が設けられている。
【実施例】
【００１２】
図面を参照して本発明の実施例を説明する。
図２において、１０と２０は、製造会社が相違する内視鏡と光源装置であり、内視鏡１０は可撓性の挿入部１１の基端に操作部１２が連結され、光源装置２０に接続自在なコネクタ部１３から突設されたロッド状のライトガイドコネクタ１４（入射端コネクタ）の突端に、照明用ライトガイド１５の入射端面１５ａが配置されている。照明用ライトガイド１５の射出端面１５ｂは、被写体に対向するように挿入部１１の先端に配置されている。
【００１３】
光源ランプ２１を内蔵する光源装置２０の、フロントパネルに配置されたコネクタ受け２２には、内視鏡１０のライトガイドコネクタ１４を差し込むためのコネクタ受け孔２３が貫通形成されている。
【００１４】
しかし、その光源装置２０と製造会社が異なる内視鏡１０のライトガイドコネクタ１４は、コネクタ受け孔２３の内径に直接差し込むと適切な状態にセットされないので、光源接続アダプタ３０を介して差し込むようになっている。
【００１５】
図３は、その光源接続アダプタ３０を示しており、この実施例の光源接続アダプタ３０は、光源装置２０のコネクタ受け孔２３部分に係脱自在に係止される対光源装置係止部３１と、内視鏡１０のライトガイドコネクタ１４が係脱自在に係止されるライトガイドコネクタ受け部３３とにより構成されている。
【００１６】
そのような対光源装置係止部３１のコネクタ受け孔２３に差し込まれる細長い筒状部の先端近傍の外周面には、コネクタ受け孔２３に差し込まれたときにコネクタ受け孔２３側に弾力的に係止される円周状のクリック溝３２が形成されている。
【００１７】
一方、ライトガイドコネクタ受け部３３のライトガイドコネクタ１４が差し込まれる孔部の内周部には、ライトガイドコネクタ１４が差し込まれたときにライトガイドコネクタ１４が弾力的に係止されるクリック用のＣリング３４が取り付けられている。
【００１８】
なお、対光源装置係止部３１とライトガイドコネクタ受け部３３は各々製造上の都合により複数の部品を連結して構成されているが、図においては対光源装置係止部３１を構成する各部品に同じ斜線を付し、ライトガイドコネクタ受け部３３を構成する各部品に対光源装置係止部３１と異なる向きに同じ斜線を付してある。
【００１９】
対光源装置係止部３１の後側半部は先側より太い筒状に形成され、ライトガイドコネクタ受け部３３は、対光源装置係止部３１の後側半部の内周と外周の双方に対してスライド自在に嵌合する二重筒状（後端側で一体的に連結されている）に形成されて、対光源装置係止部３１に支持されている。
【００２０】
そして、ライトガイドコネクタ受け部３３と内外両周面で嵌合する対光源装置係止部３１の内周面には、軸線Ｘ（対光源装置係止部３１のコネクタ受け孔２３に差し込まれる部分の軸線であり、対光源装置係止部３１がコネクタ受け孔２３に差し込まれた状態ではコネクタ受け孔２３の軸線でもある）に対して平行に直線溝３５が形成され、それに係合する係合軸体３６がライトガイドコネクタ受け部３３の内筒側から突設されている。
【００２１】
したがって、ライトガイドコネクタ受け部３３は対光源装置係止部３１に対して、係合軸体３６が直線溝３５内で移動できる範囲において軸線Ｘ方向にスライド自在であり、軸線Ｘ周りに回転することはできない。
【００２２】
また、ライトガイドコネクタ受け部３３と嵌合する対光源装置係止部３１の外周面には、複数（この実施例では５個）の円周溝３８が均等な間隔で形成されていて、その円周溝３８に係脱自在な係合ピン３９が、手動操作できるようにライトガイドコネクタ受け部３３側に取り付けられている。
【００２３】
図４は、その部分の構成を図示する図３におけるＡ−Ａ断面図であり、その断面部分においては、対光源装置係止部３１の円周溝３８が形成された外周面とその外側のライトガイドコネクタ受け部３３の内周面との間に隙間が形成されていて、剛体からなるリング４０がその隙間内に遊動できる状態に配置されている。
【００２４】
リング４０に螺合固定された係合ピン３９は、リング４０から内方に突出して先端が円周溝３８と係合する状態に配置されており、リング４０とその外側のライトガイドコネクタ受け部３３の外壁との間の隙間に係合ピン３９の頭部を囲む状態に配置された弾力性のあるゴム材からなる付勢用Ｏリング４１（付勢部材）によって、円周溝３８と係合する方向に付勢されている。
【００２５】
また、リング４０の反対側（係合ピン３９に対して１８０°対称の位置）には、基部がリング４０に螺合固定された押しボタン４２が、ライトガイドコネクタ受け部３３の外壁から突出する状態に配置されていて、リング４０とライトガイドコネクタ受け部３３の外壁との間の隙間の押しボタン４２の軸部を囲む位置には、弾力性のあるゴム材からなるガタつき防止用のＯリング４３が配置されている。
【００２６】
そのような構成により、図５に示されるように、押しボタン４２を指先等で外方から押し込む操作をすると、それによって対光源装置係止部３１とライトガイドコネクタ受け部３３との間の隙間内でリング４０が移動して係合ピン３９の先端が円周溝３８から外れた状態になり、ライトガイドコネクタ受け部３３を対光源装置係止部３１に対して軸線Ｘ方向に移動させることができる状態になる。
【００２７】
そのような状態の時は、係合ピン３９側に配置されている付勢用Ｏリング４１が潰された状態に弾性変形して、係合ピン３９を円周溝３８側に押し戻す方向の付勢力が増大する。したがって、押しボタン４２を押し込む操作を止めれば、付勢用Ｏリング４１の付勢力によって図４に示される元の状態に戻る。
【００２８】
なお、図１に示されるように、この実施例では円周溝３８が間隔をあけて５個形成されているので、押しボタン４２を指先で押して対光源装置係止部３１に対しライトガイドコネクタ受け部３３をスライドさせることにより、係合ピン３９を５個の中の任意の円周溝３８に係合させて、ライトガイドコネクタ受け部３３をその位置で対光源装置係止部３１に固定された状態にすることができる。
【００２９】
このように、ライトガイドコネクタ受け部３３を対光源装置係止部３１に対するスライド範囲の途中の所定の複数箇所において対光源装置係止部３１に対して固定及び固定解除することができるスライド固定機構が、円周溝３８、係合ピン３９、リング４０、付勢用Ｏリング４１、押しボタン４２等によって構成されている。
【００３０】
図６は、光源装置２０のコネクタ受け孔２３に対光源装置係止部３１が差し込まれて、クリック溝３２によりそこに弾力的にクリック固定された状態の光源接続アダプタ３０に対して、内視鏡１０のライトガイドコネクタ１４が差し込まれた状態を示しており、対光源装置係止部３１の軸線Ｘが光源ランプ２１から放射される照明光の光軸と一致する状態になって、光源ランプ２１から放射された照明光が照明用ライトガイド１５の入射端面１５ａに入射する。
【００３１】
ライトガイドコネクタ１４はＣリング３４によってライトガイドコネクタ受け部３３に弾力的にクリック固定されており、押しボタン４２を押し込み操作してライトガイドコネクタ受け部３３を対光源装置係止部３１に対し軸線方向にスライドさせ、図１及び図７に示されるように、５個の円周溝３８に対する係合ピン３９の係合位置を変えることにより、照明用ライトガイド１５の入射端面１５ａ位置を軸線Ｘ方向に変えることができる。
【００３２】
そのような動作において、図６に示されるように、ライトガイドコネクタ受け部３３がスライド範囲の最先端位置にセットされて、照明用ライトガイド１５の入射端面１５ａが光源ランプ２１からの照明光の収束位置付近に位置している状態の時には、光源ランプ２１から照明用ライトガイド１５に入射する照明光の光の量が最大になる。
【００３３】
また、図７に示されるように、ライトガイドコネクタ受け部３３がスライド範囲の最後端位置にセットされた状態の時には、光源ランプ２１から照明用ライトガイド１５に入射する照明光の光の量が最小になる。
【００３４】
そして、図１に示されるように、係合ピン３９をスライド範囲の途中の位置で円周溝３８に係合させれば、光源ランプ２１から照明用ライトガイド１５に入射する照明光の光の量が最大と最小の間で段階的に変化する。
【００３５】
なお、本発明は上記実施例に限定されるものではなく、例えば図８に示されるように、対光源装置係止部３１と円周溝３８との嵌合面部分に弾力性のあるゴム材等からなるＯリング４９を潰された状態に配置して、対光源装置係止部３１に対するライトガイドコネクタ受け部３３のスライド動作に抵抗を付与するような構成にしてもよい。
【図面の簡単な説明】
【００３６】
【図１】本発明の第１の実施例の内視鏡の光源接続アダプタの使用状態の側面断面図である。
【図２】本発明の第１の実施例の内視鏡の光源装置と内視鏡と光源接続アダプタの側面図である。
【図３】本発明の第１の実施例の内視鏡の光源接続アダプタの側面断面図である。
【図４】本発明の第１の実施例の内視鏡の光源接続アダプタの図３におけるＡ−Ａ断面図である。
【図５】本発明の第１の実施例の内視鏡の光源接続アダプタの操作状態の図３におけるＡ−Ａ断面図である。
【図６】本発明の第１の実施例の内視鏡の光源接続アダプタの使用状態の側面断面図である。
【図７】本発明の第１の実施例の内視鏡の光源接続アダプタの使用状態の側面断面図である。
【図８】本発明の第２の実施例の内視鏡の光源接続アダプタの側面断面図である。
【符号の説明】
【００３７】
１０  内視鏡
１４  ライトガイドコネクタ（入射端コネクタ）
２０  光源装置
２１  光源ランプ
２３  コネクタ受け孔
３０  光源接続アダプタ
３１  対光源装置係止部
３２  クリック溝
３３  ライトガイドコネクタ受け部
３４  Ｃリング
３８  円周溝（スライド固定機構）
３９  係合ピン（スライド固定機構）
４０  リング（スライド固定機構）
４１  付勢用Ｏリング（スライド固定機構）（付勢部材）
４２  押しボタン（スライド固定機構）（手動操作部材）
Ｘ  軸線
【図１】
2006122064.tif 000003
【図２】
2006122064.tif 000004
【図３】
2006122064.tif 000005
【図４】
2006122064.tif 000006
【図５】
2006122064.tif 000007
【図６】
2006122064.tif 000008
【図７】
2006122064.tif 000009
【図８】
2006122064.tif 000010